(57)【要約】  ゴルフクラブは、ゴルフクラブヘッドと、ゴルフクラブヘッドのホーゼル内に固定されているシャフトアダプタと、シャフトアダプタ内に固定されているシャフトと、を含む。ゴルフクラブシャフトは、繊維強化ポリマーから形成されており、チップ端とグリップ端との間で長手方向軸に沿って延在する。ゴルフクラブシャフトは、チップ端部分と、グリップ端部分と、チップ端部分とグリップ端部分との間のテーパ部分と、を含む。シャフトのテーパ部分は、ほぼ一定のテーパ率を有する円錐台形状を有する上側半分内にある基準部分と、下側半分内にある狭くなっている部分と、を含む。狭くなっている部分は、円錐台形状から外挿された基準表面に対して凹んでいる。
2019531833.tif 000002
【特許請求の範囲】
【請求項１】
打撃面とホーゼルとを含むゴルフクラブヘッドと、
前記ホーゼル内に固定され、内部ボアを画定するシャフトアダプタと、
繊維強化ポリマーから形成され、チップ端とグリップ端との間で長手方向軸に沿って延在するゴルフクラブシャフトと、
を備え、
前記ゴルフクラブシャフトは、
前記チップ端に当接し、前記シャフトアダプタの前記内部ボア内に少なくとも部分的に固定されるチップ端部分と、
前記グリップ端に当接するグリップ端部分と、
前記チップ端部分と前記グリップ端部分とを相互接続するテーパ部分であって、前記テーパ部分は、前記長手方向軸に沿って、上側６０％及び下側６０％を含み、前記上側６０％が前記グリップ端部分に当接しており、前記下側６０％が前記チップ端部分に当接している、前記テーパ部分と、を含み、
前記テーパ部分はさらに、
前記上側６０％内に少なくとも部分的に位置する基準部分であって、前記基準部分の外側表面は、ほぼ一定のテーパ率を有する円錐台形状を有する、前記基準部分と、
前記下側６０％内に、及び、前記チップ端と前記基準部分との間に、少なくとも部分的に位置する狭くなっている部分であって、前記狭くなっている部分の外側表面は、前記円錐台形状から前記チップ端に向かって外挿された基準表面に対して凹んでいる、前記狭くなっている部分と、を含む、
ゴルフクラブ。
【請求項２】
前記狭くなっている部分は、第１のテーパ率（Ｒ１）を有する第１の領域と、第２のテーパ率（Ｒ２）を有する第２の領域と、を含み、
前記第２の領域は、前記第１の領域と前記基準部分との間にあり、
Ｒ２＞Ｒ１である、請求項１に記載のゴルフクラブ。
【請求項３】
前記基準部分の前記ほぼ一定のテーパ率（Ｒ３）は、Ｒ２よりも小さい、請求項２に記載のゴルフクラブ。
【請求項４】
Ｒ１＜Ｒ３である、請求項３に記載のゴルフクラブ。
【請求項５】
前記テーパ部分は、約３０インチよりも大きい長さを有しており、
前記第１の領域は、前記チップ端部分に最も近接する前記テーパ部分の最初の約１５インチ内に完全に位置する、請求項１に記載のゴルフクラブ。
【請求項６】
前記狭くなっている部分の前記繊維強化ポリマーは、前記長手方向軸に対して平行に配向された複数の繊維（０度繊維）を含み、
前記ゴルフクラブシャフトは、
約１９２ＣＰＭから約２２２ＣＰＭの曲げ剛性、約４０Ｍｓｉから約４６Ｍｓｉの前記０度繊維の弾性率、及び、約５００ｇ／ｍ２から約５７５ｇ／ｍ２の前記０度繊維の繊維面積重量；
約２０２ＣＰＭから約２４４ＣＰＭの曲げ剛性、約４０Ｍｓｉから約４６Ｍｓｉの前記０度繊維の弾性率、及び、約６３５ｇ／ｍ２から約６８５ｇ／ｍ２の前記０度繊維の繊維面積重量；
約２３４ＣＰＭから約２６０ＣＰＭの曲げ剛性、約４０Ｍｓｉから約４６Ｍｓｉの前記０度繊維の弾性率、及び、約７２０ｇ／ｍ２から約７７０ｇ／ｍ２の前記０度繊維の繊維面積重量；
約２６１ＣＰＭから約２８５ＣＰＭの曲げ剛性、約４０Ｍｓｉから約４６Ｍｓｉの前記０度繊維の弾性率、及び、約８０５ｇ／ｍ２から約８５５ｇ／ｍ２の前記０度繊維の繊維面積重量；又は、
約２８０ＣＰＭから約３０４ＣＰＭの曲げ剛性、約４３Ｍｓｉから約４９Ｍｓｉの前記０度繊維の弾性率、及び、約９２５ｇ／ｍ２から約９７５ｇ／ｍ２の前記０度繊維の繊維面積重量、
のうちの１つを有する、請求項１に記載のゴルフクラブ。
【請求項７】
前記チップ端部分は、おおよそ円筒形状であり、約０．３００インチから約０．３１５インチの外径を有する、請求項１に記載のゴルフクラブ。
【請求項８】
前記グリップ端部分は、約０．５５０インチから０．６５０インチの外径を有しており、
前記テーパ部分の外径は、前記チップ端部分の前記外径から前記グリップ端部分の前記外径へ移行している、請求項７に記載のゴルフクラブ。
【請求項９】
前記ゴルフクラブヘッドは、重心（ＣＧ）と、幾何学中心（ＧＣ）と、トウと、ヒールと、を有しており、
前記ＣＧは、前記ＧＣと前記ヒールとの間に位置する、請求項１に記載のゴルフクラブ。
【請求項１０】
前記長手方向軸に沿った長さに従った、前記狭くなっている部分の少なくとも４０％は、前記基準表面よりも約６％超小さい外径を有する、請求項１に記載のゴルフクラブ。
【請求項１１】
前記長手方向軸に沿った長さに従った、前記狭くなっている部分の少なくとも５０％は、前記基準表面よりも約７％超小さい外径を有する、請求項１に記載のゴルフクラブ。
【請求項１２】
繊維強化ポリマーによって形成され、チップ端と反対側のグリップ端との間に延在する細長い本体を備え、
前記細長い本体は、
前記チップ端に当接し、ゴルフクラブヘッド内に固定されるように適合されているチップ端部分と、
前記グリップ端に当接するグリップ端部分と、
前記チップ端部分と前記グリップ端部分とを相互接続するテーパ部分であって、前記テーパ部分は、長手方向軸に沿って、上側６０％及び下側６０％を含み、前記上側６０％が、前記グリップ端部分に当接しており、前記下側６０％が、前記チップ端部分に当接している、前記テーパ部分と、
を含み、
前記テーパ部分はさらに、
前記上側６０％内に少なくとも部分的に位置する基準部分であって、前記基準部分の外側表面は、ほぼ一定のテーパ率を有する円錐台形状を有する、前記基準部分と、
前記下側６０％内に、及び、前記チップ端と前記基準部分との間に、少なくとも部分的に位置する狭くなっている部分であって、前記狭くなっている部分の外側表面は、前記円錐台形状から前記チップ端に向かって外挿された基準表面に対して凹んでいる、前記狭くなっている部分と、
を含み、
前記狭くなっている部分は、前記長手方向軸に対して平行に配向された複数の繊維（０度繊維）を含み、
前記細長い本体は、
約１９２ＣＰＭから約２２２ＣＰＭの曲げ剛性、約４０Ｍｓｉから約４６Ｍｓｉの前記０度繊維の弾性率、及び、約５００ｇ／ｍ２から約５７５ｇ／ｍ２の前記０度繊維の繊維面積重量；
約２０２ＣＰＭから約２４４ＣＰＭの曲げ剛性、約４０Ｍｓｉから約４６Ｍｓｉの前記０度繊維の弾性率、及び、約６３５ｇ／ｍ２から約６８５ｇ／ｍ２の前記０度繊維の繊維面積重量；
約２３４ＣＰＭから約２６０ＣＰＭの曲げ剛性、約４０Ｍｓｉから約４６Ｍｓｉの前記０度繊維の弾性率、及び、約７２０ｇ／ｍ２から約７７０ｇ／ｍ２の前記０度繊維の繊維面積重量；
約２６１ＣＰＭから約２８５ＣＰＭの曲げ剛性、約４０Ｍｓｉから約４６Ｍｓｉの前記０度繊維の弾性率、及び、約８０５ｇ／ｍ２から約８５５ｇ／ｍ２の前記０度繊維の繊維面積重量；又は、
約２８０ＣＰＭから約３０４ＣＰＭの曲げ剛性、約４３Ｍｓｉから約４９Ｍｓｉの前記０度繊維の弾性率、及び、約９２５ｇ／ｍ２から約９７５ｇ／ｍ２の前記０度繊維の繊維面積重量、
のうちの１つを有する、ゴルフクラブシャフト。
【請求項１３】
前記長手方向軸に沿った長さに従った、前記狭くなっている部分の少なくとも４０％は、前記基準表面よりも約６％超小さい外径を有する、請求項１２に記載のゴルフクラブシャフト。
【請求項１４】
前記長手方向軸に沿った長さに従った、前記狭くなっている部分の少なくとも５０％は、前記基準表面よりも約７％超小さい外径を有する、請求項１２に記載のゴルフクラブシャフト。
【請求項１５】
前記チップ端部分は、おおよそ円筒形状であり、約０．３００インチから約０．３１５インチの外径を有する、請求項１２に記載のゴルフクラブシャフト。
【請求項１６】
前記グリップ端部分は、約０．５５０インチから０．６５０インチの外径を有しており、
前記テーパ部分の外径は、前記チップ端部分の前記外径から前記グリップ端部分の前記外径へ移行している、請求項１５に記載のゴルフクラブシャフト。
【請求項１７】
前記狭くなっている部分は、第１のテーパ率（Ｒ１）を有する第１の領域と、第２のテーパ率（Ｒ２）を有する第２の領域と、を含み、
前記第２の領域は、前記第１の領域と前記基準部分との間にあり、
Ｒ２＞Ｒ１である、請求項１２に記載のゴルフクラブシャフト。
【請求項１８】
前記テーパ部分は、約３０インチよりも大きい長さを有しており、
前記第１の領域は、前記チップ端部分に最も近接する前記テーパ部分の最初の約１５インチ内に完全に位置する、請求項１２に記載のゴルフクラブシャフト。
【請求項１９】
打撃面とホーゼルとを含むゴルフクラブヘッドと、
前記ホーゼル内に固定され、内部ボアを画定するシャフトアダプタと、
チップ端とグリップ端との間で長手方向軸に沿って延在し、繊維強化ポリマーから形成されているゴルフクラブシャフトであって、前記ゴルフクラブシャフトは、前記チップ端から前記グリップ端へ順序付けられた、第１の領域と、第２の領域と、第３の領域と、第４の領域と、第５の領域とを含み、
前記第１の領域は、円筒形状部分を含み、前記円筒形状部分は、約０．３００インチから約０．３１５インチの外径を有しており、前記シャフトアダプタの前記内部ボア内に固定されており、
前記第２の領域は、前記チップからの距離の関数として第１のレート（Ｒ１）で線形に増加する直径を有しており、
前記第３の領域は、前記チップからの距離の関数として第２のレート（Ｒ２）で線形に増加する直径を有しており、
前記第４の領域は、前記チップからの距離の関数として第３のレート（Ｒ３）で線形に増加する直径を有しており、
Ｒ２＞Ｒ１及びＲ２＞Ｒ３である、前記ゴルフクラブシャフトと、
前記シャフトの前記グリップ端に当接するグリップであって、前記第５の領域は、前記グリップ内に配置されている、グリップと、
を備える、ゴルフクラブ。
【請求項２０】
Ｒ２＞Ｒ３＞Ｒ１＞０である、請求項１９に記載のゴルフクラブ。
【発明の詳細な説明】
【技術分野】
【０００１】
関連出願との相互参照
本出願は、２０１６年１０月２８日に出願された米国仮特許出願第６２／４１４，４９２号明細書の優先権の利益を主張し、この仮特許出願は、その全体が参照により本明細書に組み込まれる。
【０００２】
本発明は、概して、改善された空気力学的な特性を有するゴルフクラブシャフトに関する。
【背景技術】
【０００３】
ゴルフシャフトは、一般的に、テーパ状の中空管であり、シャフトがクラブヘッドに取り付けられている末端であるチップ端において最小の外径（ＯＤ）を有し、周囲にグリップが適用されている反対側の末端であるバット端（ｂｕｔｔ  ｅｎｄ）において最大の外径を有する、円形断面を備えている。典型的な最小の外径は、０．３３５インチから０．４００インチの範囲にある。典型的な最大の外径は、０．５５０インチから０．６５０インチの範囲にある。ゴルフシャフトは、末端端部において実質的に円筒形状の平行な部分を含むことが多く、ホーゼル（チップ）及びグリップ（バット）幾何学形状を考慮するようになっており、また、ホーゼル及びグリップとの適合性を維持しながら、平行な部分のトリミング（剛性を増加させるためのチップトリミング、クラブ長さを調節するためのバットトリミング）を可能にするようになっている。両末端端部の間の典型的なＯＤテーパ率は、ドライバーシャフトプロファイルと共に変化してもよいが、一般的には、０．００６ｉｎ／ｉｎから０．０１４ｉｎ／ｉｎの範囲にあり、例えば、平行なチップと平行なバットとの間の部分において、約０．００９〜０．０１０ｉｎ／ｉｎのテーパを有する。
【発明の概要】
【発明が解決しようとする課題】
【０００４】
所与の部分の中のシャフトの直径を増加させることは、質量を追加する又は材料弾性率を増加させる必要なしに、シャフト剛性を増加させるために使用される一つの設計方策である。より軽いシャフトは、一般的に、クラブをスイングする労力を低減させるために、及び、クラブヘッドスピードを増加させるために、ゴルファにとって有益である。より低弾性率の材料は、典型的に、より高価ではなく、より耐久性がある。これらの理由により、シャフト設計は一般的により大きな直径となる。しかし、空気力学的な抗力は、スイングにおけるシャフトの経路に沿って投影される面積の増加に起因して、シャフト直径が大きくなるにつれて増加する。
【０００５】
また、抗力は、シャフトにわたる空気流速の二乗に比例する。シャフトのチップ端は、ゴルフスイングにおいて最も速く移動しているので、チップ端は、抗力への重要な寄与因子であり、クラブヘッドスピードを低下させる。
【０００６】
提供されたこの背景の説明は、特定のクラブ関係の専門用語を明確に説明しようとしているが、それは、例示目的のものであり、限定するものではないことを意味している。業界内の慣習、全米ゴルフ協会（ＵＳＧＡ）又はＲ＆Ａなどのようなゴルフ組織によって設定されるルール、及び命名規則は、本出願の範囲から逸脱することなく、専門用語のこの説明を拡大してもよい。
【図面の簡単な説明】
【０００７】
【図１】ゴルフクラブの概略的な正面図である。
【０００８】
【図２】ゴルフクラブヘッド、シャフトアダプタ、及びゴルフクラブシャフトの概略的な正面分解図である。
【０００９】
【図３】空気力学的なゴルフクラブシャフトの実施形態の概略的な側面図である。
【００１０】
【図４】長手方向軸に対して垂直に見た、図３のシャフトの概略的な断面図である。
【００１１】
【図５】基準シャフトの外径プロファイルと比較した、図３の空気力学的なゴルフクラブシャフトの実施形態の外径プロファイルの概略的なグラフである。
【００１２】
【図６】空気力学的なゴルフクラブシャフトの他の実施形態の概略的な側面図である。
【００１３】
【図７】テーパ状のホーゼル開口部を有するゴルフクラブヘッドの概略的な底面図である。
【発明を実施するための形態】
【００１４】
下記で議論される本実施形態は、改善された空気力学的な特性を有するゴルフクラブシャフトに関する。最近では、より空気力学的に安定した飛行経路を提供しながら、増加したクラブヘッドスピードをもたらすために、ゴルフクラブヘッドの空気力学的な特性に進歩が見られる。これらの開発を通して、シャフトの空気力学的な抗力の寄与が、より明らかになってきた。表１は、空気力学的ヘッド抗力（ＣＤ）×投影面積（Ａ）が改善する順に、３つの市販のドライバーヘッド、ならびに、典型的なスイングの間に経験される合計の抗力に対するヘッド及びシャフトの相対的なパーセンテージの寄与を列挙している。
【表１】
2019531833.tif 000003
【００１５】
ヘッドがより空気力学的になるにつれて、全体的な抗力プロファイルに対するシャフトの関連性が増加することを所与として、最近では、シャフトの空気力学的なプロファイルに焦点を合わせる必要性があり、また、バランスポイント又はシャフト剛性を著しく変更することなく、低減された抗力プロファイルを有するシャフトを提供する必要性がある。
【００１６】
本明細書に記載される設計は、長さの関数としてシャフトの断面プロファイル／外径を変更することによって、複合シャフトの空気力学的な特性を改善する。より具体的には、本シャフトは、チップ端部分と、グリップ端部分と、チップ端部分をグリップ端部分に連結して移行させるテーパ部分とに分割されてよい。本設計は、テーパ部分の上側６０％の一部分によって画定される円錐台形状の基準表面に対して、テーパ部分の下側６０％の一部分を狭くして／凹ませてよい。これは、一定のテーパを維持するか、又は、さらには、下側６０％の一部分を拡大（すなわち、円錐台形状の基準表面に対して）するかのいずれかである典型的なシャフト設計とは正反対である。拡大されたシャフト設計は、追加的な強化重量又はコストのかかる先進的な材料の使用の必要性なしに、それらの幾何学形状単独で剛性を改善させるために、人気であった。残念ながら、この同じ設計は、最も速く移動しているシャフトの部分の周りに、拡大された断面プロファイルを提供し、したがって、抗力を大きく増加させる（すなわち、ここで、抗力は、速度の二乗の関数である）。
【００１７】
狭くなっているシャフト部分に起因する剛性の低減を補償するために、本設計のテーパ部分は、より高弾性率（すなわち、約４０Ｍｓｉから約５０Ｍｓｉ）の強化繊維を組み込んでもよく、さらに、より硬いフレックスのシャフトのために、軸と平行な向きに追加的な強化繊維を提供してもよい。そして、より高弾性率の繊維が使用される場合には、シャフトはより剛性が高くてもよいが、それは、また、より脆性破壊し易くなり得る。そうであるので、十分な緩衝及び／又は応力を分配する品質を提供するシャフトアダプタは、破損をもたらし得る点荷重型の応力集中を抑制するために使用されてよい。
【００１８】
本明細書で説明されている変形によって、空気力学的に改善されたシャフトは、表１に説明されているクラブとともに使用されてよいシャフトと比較したときに（すなわち、同様の曲げ剛性、重量、及びバランスポイントを維持しながら）、少なくとも約０．３〜０．４ｍｐｈのクラブヘッドスピードの平均増加をもたらすことができる。適正な条件下及び環境下では、クラブヘッドスピードのこの差は、おおよそ２ヤードの追加的な距離へと変換することができる。
【００１９】
「１つの（ａ）」、「１つの（ａｎ）」、「その（ｔｈｅ）」、「少なくとも１つの」、及び「１又は複数の」は、アイテムの少なくとも１つが存在していることを示すために相互交換可能に使用されており、文脈がそうでないことを明確に示していない限り、複数のそのようなアイテムが存在してもよい。添付の特許請求の範囲を含む、本明細書におけるパラメータの（例えば、量又は条件の）すべての数値は、「約」が数値の前に実際にあるか否かにかかわらず、すべての場合において、「約」という用語によって修飾されているものと理解されるべきである。「約」は、記載される数値が多少の不正確さ（精密な値にある程度近似して；値に対しておおよそ又は合理的に近接して；ほぼ）を許容することを示す。「約」によって提供される不正確さが、当技術分野においてこの通常の意味とは別の意味で理解されない場合には、本明細書において使用されるような「約」は、少なくとも、このようなパラメータの通常の測定方法及び使用方法から生じ得る変動を示す。さらに、範囲の開示は、全範囲内のすべての値及びさらに分割された範囲の開示を含む。範囲内のそれぞれの値及び範囲の端点は、本明細書では別々の実施形態としてすべて開示されている。「備える（ｃｏｍｐｒｉｓｅｓ）」、「備える（ｃｏｍｐｒｉｓｉｎｇ）」、「含む（ｉｎｃｌｕｄｉｎｇ）」、及び「有する（ｈａｖｉｎｇ）」という用語は、包括的であり、したがって、記載されているアイテムの存在を特定しているが、他のアイテムの存在を排除するものではない。本明細書の中で使用されるとき、「又は」という用語は、列挙されたアイテムのうちの１又は複数の任意の及びすべての組み合わせを含む。「第１の」、「第２の」、「第３の」などの用語が、さまざまなアイテムを互いに区別するために使用されるときには、これらの表記は、単に便宜上のものに過ぎず、アイテムを限定するものではない。
【００２０】
本明細書で説明されているように、ゴルフクラブの「ロフト」又は「ロフト角」という用語は、任意の適切なロフト及びライマシンによって測定されるような、クラブフェースとシャフトとの間に形成される角度を表している。
【００２１】
本明細書で使用されているように、正のテーパ率は、シャフトのチップ端（すなわち、ゴルフクラブヘッドと直接的に相互接続する部分）からグリップ端（すなわち、従来のゴルフクラブスイングの間にユーザによって握られる部分）への方向に移動するときに、拡大するシャフト外径を示している。このように、シャフトの長手方向軸に沿った所与のインクリメントに関して、正のテーパ率は、当該インクリメントのグリップ端が、当該インクリメントのチップ端よりも大きくなっていることを示すことになる。
【００２２】
明細書及び特許請求の範囲における「第１の」、「第２の」、「第３の」、及び「第４の」などの用語は、それがある場合には、同様の要素同士を区別するために使用されており、必ずしも、特定の一連の又は時系列的な順序を説明するために使用されているわけではない。そのように使用されている用語は、適当な環境下で相互交換可能であり、本明細書で説明されている実施形態が、例えば、本明細書に図示されているか又はその他の方法で説明されているもの以外のシーケンスで動作することができるようになっていることが理解されるべきである。さらに、「含む」、及び「有する」という用語、ならびに、これらの任意の活用形は、非排他的な包含に及ぶことが意図されており、列挙された要素を含むプロセス、方法、システム、物、デバイス、又は装置が、必ずしも、それらの要素に限定されるわけではなく、明示的に列挙されていない他の要素、又は、そのようなプロセス、方法、システム、物品、デバイス、もしくは装置に固有の他の要素を含んでもよい。
【００２３】
明細書及び特許請求の範囲における「左」、「右」、「前」、「後」、「上部」、「底部」、「上」、「下」などの用語は、それがある場合には、水平な地面上のアドレス位置に保持されたゴルフクラブ、ならびに、所定のロフト角及びライ角に保持されたゴルフクラブを一般的な基準として、説明目的のために使用されているが、必ずしも、恒久的な相対的位置を説明することが意図されているわけではない。そのように使用されている用語は、適当な環境下で相互交換可能であり、本明細書で説明されている装置、方法、及び／又は製品の実施形態が、例えば、本明細書に図示されているか又はその他の方法で説明されているもの以外の他の向きで動作することができることが理解されるべきである。
【００２４】
「連結する」、「連結されている」、「連結」、「連結している」などの用語は、広い意味に理解されるべきであり、機械的に又はその他の方法で、２つ以上の要素を接続することを表している。連結（機械的であっても、又は、その他の方法であっても）は、例えば、恒久的なもしくは半恒久的なもの、又は、単なる瞬間のものなど、任意の長さの時間に関するものであってよい。
【００２５】
他の特徴及び態様は、以下の詳細な説明及び添付の図面を考慮することによって、明らかになろう。本開示の任意の実施形態が詳細に説明される前に、本開示は、その適用において、以下の説明に記載されているような、又は、図面に図示されているような、構成要素の詳細又は構築及び配置に限定されないことが理解されるべきである。本開示は、他の実施形態をサポートすることが可能であり、さまざまに実践又は実施することが可能である。特定の実施形態の説明は、本開示の精神及び範囲内のすべての変形物、均等物、及び代替物に及ぶことから、本開示を限定することを意図していないことが理解されるべきである。また、本明細書で使用されている表現及び専門用語は、説明目的のためのものであり、限定するものとして見なされるべきではないことが理解されるべきである。
【００２６】
図面を参照すると、図面において、同様の参照番号は、さまざまな図の中の同様の又は同一の構成要素を識別するために使用されており、図１は、ゴルフクラブヘッド１２及び空気力学的シャフト１４を含むゴルフクラブ１０の正面図を概略的に図示している。図１は、ウッドタイプのクラブを概略的に図示しており、より具体的には、ドライバーを概略的に図示しているが、本明細書で開示されている空気力学的シャフトの概念は、アイアン、ハイブリッド、レスキュー、ユーティリティー、又はウェッジタイプのクラブヘッドに関しても、等しい適用可能性を有している。これらの異なるクラブヘッド設計のすべてに共通するのは、打撃面１６及びホーゼル１８であり、打撃面１６は、クラブ１０がアーチ形の様式でスイングされたときに、ゴルフボールをインパクトする働きをし、ホーゼル１８は、シャフト１４を受け入れ、クラブヘッド１２に固定する働きをする。
【００２７】
図２に図示されている設計では、ゴルフクラブシャフト１４は、シャフトアダプタ２０の使用を通して、ホーゼル１８の中に固定されてよい。いくつかの実施形態では、シャフトアダプタ２０は、概して管状の本体２２を含んでよく、本体２２は、シャフト１４を受け入れるように適合されている内側ボア２４と、ホーゼル１８のボア２８内に固定されるように適合されている外側プロファイル／表面２６とを有している。図２にさらに示されているように、シャフトアダプタ２０は、張力緩和張力緩和部３０を含んでよく、張力緩和部分３０は、ホーゼル１８の末端端部３２を越えて延在している。いくつかの実施形態では、張力緩和部３０は、本体２２の末端縁を越えて延在しながら、管状の本体２２の一部の中に入れ子になる別々の構成要素であってもよい。いくつかの実施形態では、張力緩和部３０は、アダプタ本体２２よりも柔らかく及び／又はより弾性的な材料から形成されてよい。例えば、１つの構成では、張力緩和部３０は、ゴム又は熱可塑性のエラストマーを含むエラストマーから形成されてよく、一方、アダプタ本体２２は、エンジニアリングポリマー又は金属から形成されてよい。張力緩和部３０は、シャフト１４の中のせん断応力をより良好に分配しながら、ホーゼル１８とシャフト１４との間に見た目の良い移行を提供してもよい。本設計において使用するためのクッション性を備えたシャフトアダプタの例は、米国特許出願第１５／００３，４９４号明細書（米国特許出願公開第２０１６−０１３６４８７号明細書）にさらに説明されており、それは、その全体が参照により組み込まれる。
【００２８】
図３は、空気力学的シャフト１４の実施形態を概略的に図示しており、空気力学的シャフト１４は、ユーザのスイングの間の空気力学的な抗力を低減させる目的のために、低減された断面プロファイルを有している。全体的に示されているように、空気力学的シャフト１４は、チップ端４４とグリップ端４６との間で長手方向軸４２に沿って延在している。本開示の目的のために、チップ端４４に最も近いシャフトの部分は、全体的に、シャフト１４の「下側」部分と称してよく、一方、グリップ端４６に最も近いシャフトの部分は、シャフト１４の「上側」部分と称してよい。同様に、別段の定めがなければ、本明細書で述べられている任意の寸法長さは、チップ端４４からグリップ端４６に向かって測定されるものとみなされる。
【００２９】
図４に示されているように、本シャフト１４は、概して円形であり、長手方向軸４２の周りに対称になっている。シャフト１４は、中空の内側凹部４８と、内径５２を画定する内側表面５０と、外径５６を画定する外側表面５４と、を含む。
【００３０】
本設計のシャフト１４は、繊維強化複合材料から形成されており、繊維強化複合材料は、硬化ポリマー樹脂マトリックスの中に埋め込まれたファブリックの複数の別個の層５８を含む。そのような構造では、ファブリックのそれぞれの層５８が、一方向に配向された強化繊維の集合体から形成されることが典型的である。本設計において使用されてよい繊維の例は、炭素繊維及びアラミドポリマー繊維を含む。さらに、ある実施形態では、さまざまな層５８は、１又は複数の熱硬化性樹脂を使用して共に融合されており、１又は複数の熱硬化性樹脂は、さまざまなファブリック層５８の中へ予め含浸されてよく、次いで、レイアップの構築に続いてまとめて硬化されてもよい。
【００３１】
複合シャフトの技術分野において知られ理解されているように、それぞれの層５８の中の一方向繊維の配向は、完成したシャフトの異なる品質に寄与する。例えば、長手方向軸４２に平行（すなわち、０度）に配向された層５８は、シャフト１４の曲げ剛性を増加させ、長手方向軸４２に対して斜め（例えば、４５度）に角度を付けられた層５８は、シャフト１４のねじり剛性を増加させ、長手方向軸４２に対して横方向（すなわち、９０度）に配向された層５８は、シャフト１４のフープ強度及び／又はクラッシュ強度を増加させる。任意の複合シャフトは、典型的に、０度の層、４５度の層、及び９０度の層の組み合わせを利用してもよい。例えば、チップの領域（例えば、シャフトの端部の約８インチ以内）において、シャフトが合計で約１０〜１６の複合材層５８を有することが一般的である。
【００３２】
繊維のサイズ及び密度の変化に起因して、面積重量（又は、単位面積当たりの重量）の観点からファブリックを説明することが一般的である。本開示では、別段の定めがない限り、繊維面積重量（Ｆｉｂｅｒ  Ａｒｅａｌ  Ｗｅｉｇｈｔ、ＦＡＷ）に対するすべての言及は、全体として、複合材の単位面積当たりの繊維重量を表すことを意味している。そのような尺度は、例えば、層の数への言及よりも、特定の方向に配向され得る繊維の量又は質量に対して、より良好な近似を提供する。下記の表２は、０度ＦＡＷ及び４５度ＦＡＷを含む、典型的なクラブについてのシャフトパラメータを図示している。
【００３３】
表２は、典型的なクラブヘッドについて、５つの異なるフレックス表記にカテゴリー分けされており、シャフトの柔軟性は、表２の左から右へ読んで増加している。シャフトのフレックス表記は、標準的なバット振動数テスト（ｂｕｔｔ  ｆｒｅｑｕｅｎｃｙ  ｔｅｓｔ）を通して個別に決定される。すべてが４６インチの同じ長さを有しているシャフトが、シャフトのバット端から６インチで、試験装置上にクランプされる。次いで、錘（ｗｅｉｇｈｔ）ハウジングデバイスが、シャフトのチップ端に連結され、２０５グラムの錘が、錘ハウジングデバイス上にねじ込まれる。これは、試験に関する制御変数として、シャフトのＣＧがシャフトのチップ端に位置することを可能にする。次いで、下向きの力が、シャフトのチップ端に印加され、シャフト振動を発生させる。次いで、振動数が、シャフトの振動の毎分のサイクル数で測定される。表２に示されているように、最も高いフレックス／最も低い剛性（Ｌ）は、１９２〜２２２ＣＰＭのフレックスバット振動数を含み；中程度に高いフレックス（ＳＲ）は、２０２〜２４４ＣＰＭのフレックスバット振動数を含み；普通のフレックス（Ｒ）は、２３４〜２６０ＣＰＭのフレックスバット振動数を含み；中程度に低いフレックス（Ｓ）は、２６１〜２８５のフレックスバット振動数を含み；最小のフレックス／より高い剛性（Ｘ）は、２８０〜３０４ＣＰＭのフレックスバット振動数を含む。
【表２】
2019531833.tif 000004
【００３４】
再び図３を参照すると、シャフト１４は、一般的に、チップ端４４に当接するチップ端部分６０と、グリップ端４６に当接するグリップ端部分６２と、チップ端部分６０とグリップ端部分６２との間のテーパ部分６４とを含んでもよい。チップ端部分６０は、一般的に、シャフト１４をクラブヘッド１２に固定するために使用されるシャフト１４の部分である。より具体的には、組み立てられたゴルフクラブ１０において、チップ端部分６０の少なくとも一部分は、例えば、接着剤及び／又はスクリューなどの機械的な取り付け手段の使用を通して、ホーゼル１８内に、及び／又は、シャフトアダプタ２０内に固定される。ある実施形態では、チップ端部分６０は、円筒形状であってもよく、また、約０．２７５インチから約０．３１５インチ、０．２７５インチから約０．３００インチ、約０．３００インチから約０．３１５インチ、又は、さらには、約０．３０７インチから約０．３１２インチの外径５６を有してもよい。例えば、チップ端部分６０の外径５６は、０．２７５インチ、０．２８０インチ、０．２８５インチ、０．２９０インチ、０．２９５インチ、０．３００インチ、０．３０５インチ、０．３１０インチ、０．３１５インチであってよい。他の実施形態では、チップ端部分６０の外径５６は、例えば、チップからグリップへの方向における長手方向軸４２に沿って測定される、シャフト長さのリニアインチ当たりの外径における、約０．０００インチの変化（以下、「インチ／インチ」と称する）から約０．０１０インチ／インチ以上のレートで、テーパ状になっていてもよい。また、チップ端４４から測定されるチップ端部分６０の長さは、約１インチから約５インチであってもよく、約１インチから約３インチであってもよく、約１．７５インチから約２．２５インチであってもよく、約３インチから５インチであってもよく、又は、約３．２５インチから約４．７５インチであってもよい。例えば、チップ端部分６０の長さは、１インチ、１．５０インチ、２インチ、２．５０インチ、３インチ、３．５０インチ、４インチ、４．５０インチ、又は５インチであることが可能である。
【００３５】
グリップ端部分６２は、一般的に、典型的なゴルフスイングの間にユーザによってグリップされるように意図されるシャフトの部分を表している。グリップ端部分６２は、クラブ１０の感触の良い外側表面を形成するコンプリメンタリグリップ（ｃｏｍｐｌｉｍｅｎｔａｒｙ  ｇｒｉｐ）内に延在するように適合されている。典型的なグリップは、ゴム、皮革、又は合成皮革材料から形成され得る。グリップ端部分６２は、一般的に、長さに関して、シャフト１４のグリップ端４６から、約４インチから約１６インチだけ、又は、より典型的には、約８インチから約１２インチだけ延在してよい。グリップ端部分６２のいくらか又はすべては、円筒形状であってよく、及び／又は、グリップ端部分６２のいくらか又はすべては、増大するテーパを有してよい。いずれのケースでも、グリップ端部分６２の平均外径５６は、約０．５００インチから約０．６５０インチであり、約０．５５０インチから０．６５０インチの最大外径を有している。
【００３６】
チップ端部分６０とグリップ端部分６２との間には、テーパ部分６４があり、テーパ部分６４は、チップのより小さな外径から、グリップのより大きな外径へ、シャフト１４の直径を移行させる。本シャフト１４の改善された空気力学的な品質が認識されるのは、この部分内である。
【００３７】
図５は、一般的に、部分６０のチップに最も近い端部からの距離６８の関数として、２つの異なるシャフト（すなわち、基準シャフト及び空気力学的に改善されたシャフト）のテーパ部分６４の外径５６のグラフを図示している。示されているように、テーパ率は、テーパ部分６４の長さにわたって変化してもよいが、テーパ部分６４の上側約４５％、上側約５０％、上側約５５％、上側約６０％の外側表面５４の少なくとも一部分７０に関しては、ほぼ一定のテーパ率（すなわち、「ほぼ一定のテーパ率」は、約＋／−０．００１インチ／インチの最大分散を有するテーパ率を意味している）を有する円錐台形状に近似されることが一般的である。図５に一般的に示されているように、この円錐台形状は、チップ端４４に向かって外挿され、一般的な基準表面７２としての役割を果たし、基準表面７２からシャフト外径５６の差を比較してもよい。
【００３８】
上述のように、多くの既存シャフト（例えば、基準シャフト７４）において、シャフト１４がチップ端部分６０へ真っ直ぐに円錐台形状の基準表面７２を辿るか、又は、そうでなければ、テーパ部分６４のチップ端の一部分７６が円錐台形状の基準表面７２に対して拡大されてよいことのいずれかが一般的である。このより大きい直径は、一般的に、重量を追加する必要性又はより高価でより高弾性率の繊維を使用する必要性を回避しながら、チップにおいて、又は、チップの近くにおいて、（より大きな曲げ及びねじりの慣性モーメントに起因する）強化された曲げ剛性及びねじり剛性を提供する。より大きい直径は、改善された剛性、及び、より低弾性率の材料を使用する能力に寄与するが、この同じ設計は、通常のスイングの間に最も速く移動しているクラブヘッドの部分において、より大きい空気力学的な抗力プロファイルを提供する。
【００３９】
従来設計とは対照的に、本ゴルフクラブシャフト１４のプロファイル７８は、基準シャフト７４及び円錐台形状の基準表面７２の両方に対して狭くなっている／凹んでいる、テーパ部分６４の下側６０％の部分８０を含む（すなわち、「狭くなっている部分８０」）。この部分８０の外側プロファイルを狭くすることによって、シャフトの空気力学的な抗力が低減され、潜在的により大きいクラブヘッドスピードをもたらす。テーパ部分６４の最低でも約１０インチから１２インチ、最低でも約８インチから１５インチ、最低でも約８インチから１１インチ、又は、最低でも約１１〜１５インチ以内に、狭くなっている部分が位置する場合に、これらの速度ゲインが最も有意であることが見出された。例えば、最低でも約８インチ、９インチ、１０インチ、１１インチ、１２インチ、１３インチ、１４インチ、又は１５インチ以内に、狭くなっている部分が位置する場合に、速度ゲインが最も有意である。
【００４０】
いくつかの実施形態では、長手方向軸４２に沿って測定される、狭くなっている部分８０の少なくとも４０％が、同じ位置における円錐台形状の基準表面７２よりも約６％超小さい外径５６を有してもよい。いくつかの実施形態では、狭くなっている部分８０の少なくとも５０％が、基準表面７２よりも約６％超小さい外径５６を有してもよい。また、いくつかの実施形態では、狭くなっている部分８０の少なくとも５０％が、基準表面７２よりも約７％超小さい外径５６を有してもよい。また、依然として、いくつかの実施形態では、狭くなっている部分８０の少なくとも４０％が、基準表面７２よりも約８％超小さい外径５６を有してもよい。
【００４１】
図５に示されている実施形態では、狭くなっている部分８０の長さの８０％超が、同じ位置における円錐台形状の基準表面７２の直径よりも３％超小さい；狭くなっている部分８０の長さの７５％超が、円錐台形状の基準表面７２の直径よりも４％超小さい；狭くなっている部分８０の長さの７０％超が、円錐台形状の基準表面７２の直径よりも５％超小さい；狭くなっている部分８０の長さの６０％超が、円錐台形状の基準表面７２の直径よりも６％超小さい；狭くなっている部分８０の長さの５０％超が、台形円錐状の基準表面７２の直径よりも７％超小さい；狭くなっている部分８０の長さの３０％超が、円錐台形状の基準表面７２の直径よりも８％超小さくなっている；及び、狭くなっている部分８０の長さの１５％超が、円錐台形状の基準表面７２の直径よりも９％超小さい。
【００４２】
さらに図５を参照すると、図示されている実施形態７８の最初のおおよそ１４インチは、基準シャフト７４に対して狭くなっている。この部分の中で、最初の約１１インチは、基準シャフト７４に対して約７％超だけ狭くなっており、本プロファイル７８の約９インチは、基準シャフト７４に対して９％超だけ狭くなっている。
【００４３】
本設計のいくつかの実施形態は、その長さに沿って複数の異なる領域を有するテーパ部分６４を含んでもよく、少なくとも１つの中間領域は、その領域の両側の領域よりも大きいテーパ率を有している。実際には、増加したテーパ率を有するこの領域は、狭くなっている部分８０のより狭い部分と円錐台形状を近似する上側５０％の部分７０との間で、比較的に積極的な移行部としての役割を果たしてもよい。いくつかの実施形態では、テーパ部分６４は、２つの領域、又は、２つよりも多い領域（例えば、３つの領域、４つの領域、５つの領域、６つの領域、７つの領域、８つの領域、もしくは９つの領域など）を含むことができる。例えば、図５に示されているテーパ部分６４は、少なくとも３つの基本的な領域、すなわち、第１のテーパ率Ｒ１を有する第１の領域９０、第２のテーパ率Ｒ２を有する第２の領域９２、及び、第３のテーパ率Ｒ３を有する第３の領域９４を有している。第１の領域９０は、チップ端４４の最も近くにあり、第３の領域９４は、グリップ端４６の最も近くに位置し、第２の領域９２は、第１の領域９０と第３の領域９４との間に位置決めされている。図５を介して示されているように、Ｒ２は、２つの境界領域９０、９４のいずれよりも積極的にテーパを付けられている（すなわち、Ｒ２＞（Ｒ１及びＲ３））。さらに示されているように、いくつかの実施形態では、第１の領域９０は、第３の領域９４よりも浅い傾き／テーパを有してよく（すなわち、Ｒ１＜Ｒ３）、いくつかの実施形態では、Ｒ２＞Ｒ３＞Ｒ１＞０である。最も狭くなっている第１の領域９０にわたる比較的に浅い傾きは、最も改善された空気力学的なゲインを提供するために、その領域が可能な限り小さい平均外径を有することを保証することになる。
【００４４】
ある実施形態では、第１のテーパ率Ｒ１は、約０．００４インチ／インチから約０．０１２インチ／インチであってもよく、約０．００５インチ／インチから約０．０１０インチ／インチであってもよく、約０．００６インチ／インチから約０．００９インチ／インチであってもよく、約０．００４インチ／インチから約０．００８インチ／インチであってもよく、又は、さらには、０．００８インチ／インチから０．００１２インチ／インチであってもよい。第２のテーパ率Ｒ２は、約０．０１５インチ／インチから約０．０３０インチ／インチであってもよく、約０．０１８インチ／インチから約０．０２７インチ／インチであってもよく、約０．０２０インチ／インチから約０．０２５インチ／インチであってもよく、約０．０１５インチ／インチから０．０２２インチ／インチであってもよく、又は、さらには、約０．０２２インチ／インチから０．０２０インチ／インチであってもよい。そして、第３のテーパ率Ｒ３は、約０．００５インチ／インチから約０．０１４インチ／インチであってもよく、約０．００７インチ／インチから約０．０１２インチ／インチであってもよく、約０．００９インチ／インチから約０．０１０インチ／インチであってもよく、約０．００５インチ／インチから約０．０１０インチ／インチであってもよく、又は、さらには、約０．０１０インチ／インチから約０．０１４インチ／インチであってもよい。
【００４５】
いくつかの実施形態では、第１の領域９０及び第２の領域９２は、チップ端４４に最も近接するテーパ領域６４の６０％内に完全に位置してよい。他の実施形態では、第１の領域及び第２の領域は、チップ端４４に最も近接するテーパ領域６４の５５％、５０％、４５％、又は４０％内に位置してよい。同様に、いくつかの実施形態では、第１の領域９０及び第２の領域９２は、チップ端４４に最も近接するテーパ領域６４の最初の約２０インチ内に完全に位置してよい。他の実施形態では、第１の領域９０及び第２の領域９２は、テーパ領域６４の最初の約１８インチ、１５インチ、又は、さらには、最初の１２インチ内に、完全に位置してよい。
【００４６】
図３及び図５は、テーパ部分６４の最も狭い部分がその部分のチップ端にある実施形態を図示しているが、図６は、最も狭い部分がシャフト１４のさらに上側に位置する実施形態を図示している。そのような実施形態は、依然として、その両側の領域よりも大きいテーパ率を有する少なくとも１つの中間領域を有しているが、しかし、図６は、追加的な領域も存在してよく、及び／又は、３つの領域がテーパ部分全体を形成する必要がないことを図示している。さらなる他の実施形態では、Ｒ２＞（Ｒ１及びＲ３）に代えて、より一般的に、プロファイルがＲ３＜（Ｒ１及びＲ２）によって説明されてよいプロファイルが存在してもよい。そのような実施形態は、第１の領域９０及び部分領域９２が同じテーパ率を有することを許容してもよい。
【００４７】
上述のように、同様の材料の構造に関して、より大きい直径のシャフトは、一般的に、より小さい直径のシャフトよりも大きい曲げ剛性及びねじり剛性を提供する。例えば、すべての他の変数及び材料が一定に保持される場合、本シャフトの狭くなっているプロファイル７８は、基準設計７４よりも剛性が約２５〜３０％低くなることになる。より低い曲げ剛性は、クラブヘッドをインパクト時に（スイング経路に沿ってグリップ軸の前に）導いてクローズにする傾向を有しており、より低いねじり剛性は、クラブヘッドをインパクト時に動的にロフトさせ（ｄｙｎａｍｉｃａｌｌｙ  ｌｏｆｔ）及び／又はオープンにする傾向を有している。ゴルフクラブの「感触」のほとんどは、曲げ剛性とゴルファのスイングスピードとの適正なマッチングを行わなければならないとういことが見出された。そのうえ、ユーザのクラブヘッドが、彼らの所与のスイングスピードに対して十分に剛性が高くない場合には、打撃面１６とゴルフボールとの間のスクエアインパクトを一貫したものにする彼らの能力を大きく低下させる。
【００４８】
低減された曲げ剛性を補償し、望ましいスイングの感触及び／又は打ち出し条件をユーザに提供するために、本設計は、狭くなっている部分８０における繊維強化複合材層５８のうちのいくつか又はすべての中に、比較的により高弾性率の繊維を利用してもよい。より具体的には、曲げ剛性は、ヤング率に本設計の慣性モーメントを掛けたもの（Ｅ＊Ｉ）に等しい。Ｉの低減は、Ｅの対応する増加によってオフセットされ得る。残念ながら、繊維の弾性率が増加するにつれて、脆性破壊の可能性も増加する。繊維弾性率に関する合理的な上限は、約４５Ｍｓｉから約５０Ｍｓｉの範囲にある（例えば、４５Ｍｓｉ、４６Ｍｓｉ、４７Ｍｓｉ、４８Ｍｓｉ、４９Ｍｓｉ、又は５０Ｍｓｉ）ことが見出された。したがって、上記の表２を参照すると、より柔らかいフレックスのシャフトの剛性低減を繊維の置換のみによってオフセットすることが可能であり得るが、より硬いフレックスのシャフトは、耐久性の懸念に起因して制限される。
【００４９】
１つの実施形態では、剛性を回復／増加させるための二つ目のアプローチは、１又は複数の繊維層５８を追加し、又は、１又は複数の繊維層５８を長手方向軸４２に対して平行（すなわち、０度）に再配向させることであってよい。このアプローチは、弾性率の増加が耐久性の理由のために制限されるときに有益であってよい。表３は、低抗力のシャフトの実施形態の狭くなっている部分８０の弾性率及びＦＡＷに関する（表２に対する）例示的な範囲及び変化を図示している。
【表３】
2019531833.tif 000005
【００５０】
いくつかの実施形態では、表３に説明されているような、増加した繊維弾性率、及び／又は、より大きいＦＡＷは、狭くなっている部分８０のいくらか又はすべてにわたって延在してもよい。いくつかの実施形態では、増加した剛性の程度は、直径減少の関数であってよい。例えば、上述した第１領域９０のような、より積極的に狭くなっている部分は、狭くなっている程度が低いテーパ領域／移行領域（例えば、第２の領域９２）よりも、より剛性の高い繊維及び／又はより大きいＦＡＷを有してもよい。さらなる他の実施形態では、増加した繊維弾性率、及び／又は、より大きいＦＡＷは、狭くなっている部分８０を越えて（例えば、部分的に第３の領域９４の中へ）延在してもよい。狭くなっている部分８０を越えて延在することによって、同程度の全体的なシャフト剛性を提供することが可能であるが、狭くなっている部分８０は、切り離して見たときに（すなわち、基準クラブと比較すると）、比較的に剛性の低いままである。この設計は、とりわけ、スティッフシャフト及びｘ−スティッフシャフトにおいて有益であってよく、そこでは、剛性増加の大部分は、ＦＡＷを増加させることによって生じる。
【００５１】
より多くの繊維／複合材層を長手方向軸４２に沿って配向させることによって、及び／又は、より高弾性率の材料を使用することによって、曲げ剛性が改善／回復されてよいが、シャフト直径の低減は、シャフト１４のねじり剛性も低減させ得る。いくつかの実施形態では、ねじり剛性は、曲げ剛性とほとんど同じようにして回復されてよい。より具体的には、より高弾性率の繊維が、４５度層において利用されてよく、次いで、必要な場合には、この配向におけるＦＡＷが増加されてよい。
【００５２】
いくつかの実施形態では、曲げ剛性及びねじり剛性の最適化又は平衡化は、４５度層において、（耐久性の懸念を提示する可能性がある）次第に高い弾性率になる材料、又は、（質量特性を変化させる可能性がある）より大きいＦＡＷを直接的に用いる前に実施されてよい。とりわけ、より低い曲げ剛性は、インパクト時にクローズしたフェースを送り出す傾向があり得、一方、より低いねじり剛性は、インパクト時によりオープンしたフェースを送り出す傾向があり得る。そうであるので、感触が著しく影響を受ける前に、いくらかの曲げ剛性が、追加的な４５度の剛性を提供するために犠牲にされてよい。このように、より大きいねじり剛性は、オープンフェース傾向のいくらかを低減させることになるが、一方、低減された曲げ剛性は、フェースを閉じる傾向があり、さらにオープンフェース傾向を低減させることになる。しかし、好適な実施形態では、本設計の曲げ剛性は、望ましくは、基準クラブの約１０％以内にあり、より好ましくは、基準クラブの約５％以内にあり、より好ましくは、基準クラブの約３％以内にある。
【００５３】
曲げ剛性が基準シャフト７４の約１０％以内に維持され、ねじり剛性が目標剛性を下回るいくつかの実施形態では、任意の残存するオープンフェース傾向は、クラブヘッド１２設計における変化を通して（すなわち、追加的な４５度繊維を追加することを用いる前に）考慮され得る。例えば、１つの実施形態では、クラブヘッド重心（ＣＧ）１００（図２に図示）は、基準シャフトとともに使用されることが意図されるヘッドよりも、ヒール１０２の近くへ移動されてよい。そのようなＣＧ調節は、インパクト時により多くのドローバイアスされたギヤ効果をもたらしながら、スイングの間にシャフトに付与されるねじり応力を低減させることの両方の効果を有する。１つの実施形態では、クラブヘッド１２のＣＧは、それがクラブヘッド１２の幾何学的中心１０４とヒール１０２との間に位置するように移動されてよい。追加的に、フェース幾何学形状に対する修正（例えば、バルジ半径及びオフセット）が、比較的により低いシャフトねじり剛性を考慮するためにさらに使用されてよい。
【００５４】
より高弾性率の繊維（４０Ｍｓｉ以上）が、基準シャフト７４の剛性と同様のシャフトの剛性を維持するために使用される実施形態では、インパクト関連の脆性破壊を防ぐために、さらなる注意を払われなければならない。例えば、上述したように、ゴルフクラブ１０は、シャフトアダプタ２０を利用してもよく、シャフトアダプタ２０は、応力集中を最小化するように、及び／又は、シャフト１４とホーゼル１８との間にクッショニング態様を提供するように設計されている。そのようなシャフトアダプタ２０は、シャフト１４に対するインパクト応力をより良好に分配させ及び／又は減衰させるために、設計及び材料選択の組み合わせを利用してもよい。この応力低減／分配は、複合シャフト材料がインパクト荷重の下で破砕する可能性を低減させ、約１０％から約２２％だけ耐久性を改善させることが見出された。他の実施形態では、シャフトアダプタ２０のクッショニング態様は、約１２％から約２０％、約１４％から約１８％、約１０％から約１６％、又は、約１６％から約２２％だけ、シャフト１４の耐久性を改善させることができる。例えば、シャフトアダプタ２０は、１０％、１２％、１４％、１６％、１８％、２０％、又は２２％だけ、シャフト１４の耐久性を改善させることができる。
【００５５】
クッショニング態様を簡易に提供することに加えて、いくつかの実施形態では、シャフトアダプタ２０は、シャフト１４のチップ端４４の内径５２内に延在する強化特質をさらに含んでもよい。そのような設計の例は、米国特許出願公開第２０１７／０２５２６１１号明細書（’６１１出願）に説明及び図示されており、それは、その全体が参照により組み込まれる。’６１１出願に説明されているアダプタのバージョンは、ローリングプロセスにおけるマンドレルへの拡張部として、製造の間にシャフトの中へ組み込まれてよい。より具体的には、小さい直径シャフトは、破壊又は変形し易い非常に小さい直径を有するマンドレルを必要とすることができる。マンドレルチップに取り付け、硬化の後にシャフト内に留まるスリーブは、マンドレル問題の可能性を低減させることができ、内部強化によって（中からシャフトチップにおける座屈を低減させ）、シャフトチップの強度を増加させることができる。
【００５６】
基準シャフト７４と同等な重量及びバランスポイントを有する０．２７５インチまでの最小外径を有するシャフトを製造することは、実行可能であるが、そのようなシャフトは、同等な剛性を提供するために、かなり剛性の高い材料を必要とすることになる。残念ながら、クッショニングシャフトアダプタの使用によってさえも、そのような直径は、脆性破壊し易いことが見出され、したがって、商業的に実現可能になるには十分な耐久性がないことになる。繰り返しに耐える十分な耐久性があるクラブを提供するためには、現在の技法及び入手可能な材料を使用すると、一般的に、約０．３００インチから約０．３２５インチの最小外径が必要とされることが見出された。試験を通して、例えば、上記に説明されて参照により組み込まれたもののように、クッショニングシャフトアダプタと対にされるときに、約０．３０５インチから約０．３１２インチの範囲にある最小外径が、（クラブのバランスポイント／スイング重量を悪くし得る）シャフト内の追加的な強化を必要とすることなく、耐久性及び性能の適切なバランスを提供することが見出された。
【００５７】
試験を通して、図５に示されているシャフトプロファイル７８は、基準プロファイル７４を有して同様の剛性、重量及びバランスポイントを有するシャフトと比較されたときに、約０．３〜０．４ｍｐｈ（例えば、０．３００ｍｐｈ、０．３１０ｍｐｈ、０．３２０ｍｐｈ、０．３３０ｍｐｈ、０．３４０ｍｐｈ、０．３５０ｍｐｈ、０．３６０ｍｐｈ、０．３７０ｍｐｈ、０．３８０ｍｐｈ、０．３９０ｍｐｈ、及び０．４００ｍｐｈ）のクラブヘッドスピードの平均増加をもたらすことができることが見出された。クラブヘッドスピードのこの差は、適正な条件下では、おおよそ２ヤードの追加的な距離へと変換することができる。
【００５８】
図５に示されている比較及び設計を含む上記の例は、例示目的のために提供されていることが留意されるべきである。他の実施形態では、チップの近くにある代わりに、狭くなっている部分８０をテーパ部分６４の中央領域に位置することが可能であり（図６に図示）、又は、増加する及び／又は減少するテーパを有する、長さに沿って波打つ狭くなっている部分を含むことも可能であり、又は、長さに沿って複数の狭くなっている部分を含むシャフトを含むことも可能である。これらの設計のすべてに共通していることは、単に、基準部分及び狭くなっている部分であり、基準部分は、円錐台形状の基準表面を画定しており、狭くなっている部分は、基準部分よりもチップの近くにあり、基準表面に対して凹んでいる／狭くなっている。狭くなっている部分８０がテーパ部分６４の中央領域に位置する、図６に示されているような実施形態では、狭くなっている部分は、円錐台形状の基準表面７２に対して、直径の比較的により大きい低減を有することが可能である。とりわけ、その理由は、シャフトの中間部分を通して経験されるインパクト応力が、一般的に、チップ４４の近くで経験されるものよりも低いからである。
【００５９】
（図７に示されている）いくつかの実施形態では、ゴルフクラブ１０の空気力学的な品質をさらに改善させるために、ホーゼル１８は、テーパノッチ１１２を画定する位置において、ソール１１０に交わってよい。ノッチ１１２は、シャフト１４をクラブヘッド１０の中に暫定的に固定するために、スクリュー１１４を受け入れるように構成されている。ノッチ１１２は、ホーゼル軸に対して垂直に位置決めされた平面に沿って見た深さ及び断面積を含む。ノッチ１１２の断面積は、ホーゼル軸に沿って変化する。具体的には、断面積は、ホーゼル１８からの距離が増加するにつれて減少する。したがって、ノッチ１１２は、ソール１１０の外部表面に向かう方向にテーパが付いている。テーパノッチ１１２は、一定の断面積を有するノッチを有するクラブヘッドと比較して、ソールの外部表面において低減されたギャップをもたらす。ノッチ１１２のギャップサイズを低減させることは、スイングの間にクラブヘッド上の空気流に対してより滑らかな表面を生成することによって、クラブヘッド１２の空気力学的な性質を改善させることができる。いくつかの実施形態では、ノッチ１１２の深さは、現在のホーゼル１８のノッチ深さと比較して低減され、ノッチ体積をさらに低減させる。
【００６０】
本明細書で説明されているテーパノッチ１１２はさらに、ホーゼル構成を調節するトルクレンチのための十分なクリアランスを維持しながら、一定の断面積及び／又はより大きい深さを有するノッチと比較して、低減された体積を有している。ノッチ体積を低減させることは、スイングの間のクラブヘッド上の空気流に関連付けられる抗力を低減させることによって、クラブヘッドの空気力学的な性質をさらに改善させることができる。
【００６１】
１又は複数の特許請求の範囲に記載の要素の交換は、再構築を構成し、修理を構成しない。追加的に、利益、他の利点、及び、課題に対する解決策は、特定の実施形態に関して説明されてきた。しかし、利益、利点、課題に対する解決策、及び、任意の利益、利点、又は解決策をもたらす又はより顕著にする任意の１又は複数の要素は、そのような利益、利点、解決策、又は要素がそのような請求項の中に明示的に述べられていなければ、請求項のいずれか又はすべての重要な、必要な、又は、必須の特徴又は要素として解釈されるべきではない。
【００６２】
ゴルフに対するルールは、ときどき変化し得るので（例えば、全米ゴルフ協会（ＵＳＧＡ）、ロイヤルアンドエンシェントゴルフクラブオブセントアンドリュース（Ｒ＆Ａ）などのような、ゴルフ標準化組織及び／又は運営団体によって、新しい規制が採用される可能性があり、又は、古いルールが排除もしくは修正される可能性がある）、本明細書で説明されている装置、方法、及び製品に関係するゴルフ機器は、任意の特定の時間におけるゴルフのルールに適合してもよく、又は、適合していなくてもよい。したがって、本明細書で説明されている装置、方法、及び製品に関連するゴルフ機器は、適合しているか又は適合していないゴルフ機器として、宣伝され、販売の申し出がされ、及び／又は、販売されてもよい。本明細書で説明されている装置、方法、及び製品は、この点において限定されていない。
【００６３】
上記の例は、アイアンタイプのゴルフクラブに関連して説明されてよいが、本明細書で説明されている装置、方法、及び製品は、ドライバーウッドタイプのゴルフクラブ、フェアウェイウッドタイプのゴルフクラブ、ハイブリッドタイプのゴルフクラブ、アイアンタイプのゴルフクラブ、ウェッジタイプのゴルフクラブ、又は、パタータイプのゴルフクラブなどのような、他のタイプのゴルフクラブにも適用可能であってよい。代替的に、本明細書で説明されている装置、方法、及び製品は、ホッケースティック、テニスラケット、釣り竿、スキーのストックなどのような、他のタイプのスポーツ機器にも適用可能であってよい。
【００６４】
さらに、本明細書で開示されている実施形態及び限定事項は、実施形態及び／又は限定事項が、（１）特許請求の範囲において明示的に特許請求されておらず、（２）均等論の下で、特許請求の範囲における明示的な要素及び／もしくは限定事項の均等物であるか、又は潜在的な均等物である場合、公有の原則の下で公に供されることはない。
【００６５】
項目１：打撃面とホーゼルとを含むゴルフクラブヘッドと、ホーゼル内に固定され、内部ボアを画定するシャフトアダプタと、繊維強化ポリマーから形成され、チップ端とグリップ端との間で長手方向軸に沿って延在するゴルフクラブシャフトと、を備え、ゴルフクラブシャフトは、チップ端に当接し、シャフトアダプタの内部ボア内に少なくとも部分的に固定されるチップ端部分と、グリップ端に当接するグリップ端部分と、チップ端部分とグリップ端部分とを相互接続するテーパ部分であって、テーパ部分は、長手方向軸に沿って、上側６０％及び下側６０％を含み、上側６０％がグリップ端部分に当接しており、下側６０％がチップ端部分に当接している、テーパ部分と、を含み、テーパ部分はさらに、上側６０％内に少なくとも部分的に位置する基準部分であって、基準部分の外側表面は、ほぼ一定のテーパ率を有する円錐台形状を有する、基準部分と、下側６０％内に、及び、チップ端と基準部分との間に、少なくとも部分的に位置する狭くなっている部分であって、狭くなっている部分の外側表面は、円錐台形状からチップ端に向かって外挿された基準表面に対して凹んでいる、狭くなっている部分と、を含む、ゴルフクラブ。
【００６６】
項目２：狭くなっている部分は、第１のテーパ率（Ｒ１）を有する第１の領域と、第２のテーパ率（Ｒ２）を有する第２の領域と、を含み、第２の領域は、第１の領域と基準部分との間にあり、Ｒ２＞Ｒ１である、項目１に記載のゴルフクラブ。
【００６７】
項目３：基準部分のほぼ一定のテーパ率（Ｒ３）は、Ｒ２よりも小さい、項目２に記載のゴルフクラブ。
【００６８】
項目４：Ｒ１＜Ｒ３である、項目３に記載のゴルフクラブ。
【００６９】
項目５：テーパ部分は、約３０インチよりも大きい長さを有しており、第１の領域は、チップ端部分に最も近接するテーパ部分の最初の約１５インチ内に完全に位置する、項目１に記載のゴルフクラブ。
【００７０】
項目６：狭くなっている部分の繊維強化ポリマーは、長手方向軸に対して平行に配向された複数の繊維（０度繊維）を含み、ゴルフクラブシャフトは、約１９２ＣＰＭから約２２２ＣＰＭの曲げ剛性、約４０Ｍｓｉから約４６Ｍｓｉの０度繊維の弾性率、及び、約５００ｇ／ｍ２から約５７５ｇ／ｍ２の０度繊維の繊維面積重量；約２０２ＣＰＭから約２４４ＣＰＭの曲げ剛性、約４０Ｍｓｉから約４６Ｍｓｉの０度繊維の弾性率、及び、約６３５ｇ／ｍ２から約６８５ｇ／ｍ２の０度繊維の繊維面積重量；約２３４ＣＰＭから約２６０ＣＰＭの曲げ剛性、約４０Ｍｓｉから約４６Ｍｓｉの０度繊維の弾性率、及び、約７２０ｇ／ｍ２から約７７０ｇ／ｍ２の０度繊維の繊維面積重量；約２６１ＣＰＭから約２８５ＣＰＭの曲げ剛性、約４０Ｍｓｉから約４６Ｍｓｉの０度繊維の弾性率、及び、約８０５ｇ／ｍ２から約８５５ｇ／ｍ２の０度繊維の繊維面積重量；又は、約２８０ＣＰＭから約３０４ＣＰＭの曲げ剛性、約４３Ｍｓｉから約４９Ｍｓｉの０度繊維の弾性率、及び、約９２５ｇ／ｍ２から約９７５ｇ／ｍ２の０度繊維の繊維面積重量、のうちの１つを有する、項目１に記載のゴルフクラブ。
【００７１】
項目７：チップ端部分は、おおよそ円筒形状であり、約０．３００インチから約０．３１５インチの外径を有する、項目１に記載のゴルフクラブ。
【００７２】
項目８：グリップ端部分は、約０．５５０インチから０．６５０インチの外径を有しており、テーパ部分の外径は、チップ端部分の外径からグリップ端部分の外径へ移行している、項目７に記載のゴルフクラブ。
【００７３】
項目９：ゴルフクラブヘッドは、重心（ＣＧ）と、幾何学中心（ＧＣ）と、トウと、ヒールと、を有しており、ＣＧは、ＧＣとヒールとの間に位置する、項目１に記載のゴルフクラブ。
【００７４】
項目１０：長手方向軸に沿った長さに従った、狭くなっている部分の少なくとも４０％は、基準表面よりも約６％超小さい外径を有する、項目１に記載のゴルフクラブ。
【００７５】
項目１１：長手方向軸に沿った長さに従った、狭くなっている部分の少なくとも５０％は、基準表面よりも約７％超小さい外径を有する、項目１に記載のゴルフクラブ。
【００７６】
項目１２：繊維強化ポリマーによって形成され、チップ端と反対側のグリップ端との間に延在する細長い本体を備え、細長い本体は、チップ端に当接し、ゴルフクラブヘッド内に固定されるように適合されているチップ端部分と、グリップ端に当接するグリップ端部分と、チップ端部分とグリップ端部分とを相互接続するテーパ部分であって、テーパ部分は、長手方向軸に沿って、上側６０％及び下側６０％を含み、上側６０％が、グリップ端部分に当接しており、下側６０％が、チップ端部分に当接している、テーパ部分と、を含み、テーパ部分はさらに、上側６０％内に少なくとも部分的に位置する基準部分であって、基準部分の外側表面は、ほぼ一定のテーパ率を有する円錐台形状を有する、基準部分と、下側６０％内に、及び、チップ端と基準部分との間に、少なくとも部分的に位置する狭くなっている部分であって、狭くなっている部分の外側表面は、円錐台形状からチップ端に向かって外挿された基準表面に対して凹んでいる、狭くなっている部分と、を含み、狭くなっている部分は、長手方向軸に対して平行に配向された複数の繊維（０度繊維）を含み、細長い本体は、約１９２ＣＰＭから約２２２ＣＰＭの曲げ剛性、約４０Ｍｓｉから約４６Ｍｓｉの０度繊維の弾性率、及び、約５００ｇ／ｍ２から約５７５ｇ／ｍ２の０度繊維の繊維面積重量；約２０２ＣＰＭから約２４４ＣＰＭの曲げ剛性、約４０Ｍｓｉから約４６Ｍｓｉの０度繊維の弾性率、及び、約６３５ｇ／ｍ２から約６８５ｇ／ｍ２の０度繊維の繊維面積重量；約２３４ＣＰＭから約２６０ＣＰＭの曲げ剛性、約４０Ｍｓｉから約４６Ｍｓｉの０度繊維の弾性率、及び、約７２０ｇ／ｍ２から約７７０ｇ／ｍ２の０度繊維の繊維面積重量；約２６１ＣＰＭから約２８５ＣＰＭの曲げ剛性、約４０Ｍｓｉから約４６Ｍｓｉの０度繊維の弾性率、及び、約８０５ｇ／ｍ２から約８５５ｇ／ｍ２の０度繊維の繊維面積重量；又は、約２８０ＣＰＭから約３０４ＣＰＭの曲げ剛性、約４３Ｍｓｉから約４９Ｍｓｉの０度繊維の弾性率、及び、約９２５ｇ／ｍ２から約９７５ｇ／ｍ２の０度繊維の繊維面積重量、のうちの１つを有する、ゴルフクラブシャフト。
【００７７】
項目１３：長手方向軸に沿った長さに従った、狭くなっている部分の少なくとも４０％は、基準表面よりも約６％超小さい外径を有する、項目１２に記載のゴルフクラブシャフト。
【００７８】
項目１４：長手方向軸に沿った長さに従った、狭くなっている部分の少なくとも５０％は、基準表面よりも約７％超小さい外径を有する、項目１２に記載のゴルフクラブシャフト。
【００７９】
項目１５：チップ端部分は、おおよそ円筒形状であり、約０．３００インチから約０．３１５インチの外径を有する、項目１２に記載のゴルフクラブシャフト。
【００８０】
項目１６：グリップ端部分は、約０．５５０インチから０．６５０インチの外径を有しており、テーパ部分の外径は、チップ端部分の外径からグリップ端部分の外径へ移行している、項目１５に記載のゴルフクラブシャフト。
【００８１】
項目１７：狭くなっている部分は、第１のテーパ率（Ｒ１）を有する第１の領域と、第２のテーパ率（Ｒ２）を有する第２の領域と、を含み、第２の領域は、第１の領域と基準部分との間にあり、Ｒ２＞Ｒ１である、項目１２に記載のゴルフクラブシャフト。
【００８２】
項目１８：テーパ部分は、約３０インチよりも大きい長さを有しており、第１の領域は、チップ端部分に最も近接するテーパ部分の最初の約１５インチ内に完全に位置する、項目１２に記載のゴルフクラブシャフト。
【００８３】
項目１９：打撃面とホーゼルとを含むゴルフクラブヘッドと、ホーゼル内に固定され、内部ボアを画定するシャフトアダプタと、チップ端とグリップ端との間で長手方向軸に沿って延在し、繊維強化ポリマーから形成されているゴルフクラブシャフトであって、ゴルフクラブシャフトは、チップ端からグリップ端へ順序付けられた、第１の領域と、第２の領域と、第３の領域と、第４の領域と、第５の領域とを含み、第１の領域は、円筒形状部分を含み、円筒形状部分は、約０．３００インチから約０．３１５インチの外径を有しており、シャフトアダプタの内部ボア内に固定されており、第２の領域は、チップからの距離の関数として第１のレート（Ｒ１）で線形に増加する直径を有しており、第３の領域は、チップからの距離の関数として第２のレート（Ｒ２）で線形に増加する直径を有しており、第４の領域は、チップからの距離の関数として第３のレート（Ｒ３）で線形に増加する直径を有しており、Ｒ２＞Ｒ１及びＲ２＞Ｒ３である、ゴルフクラブシャフトと、シャフトのグリップ端に当接するグリップであって、第５の領域は、グリップ内に配置されている、グリップと、を備える、ゴルフクラブ。
【００８４】
項目２０：Ｒ２＞Ｒ３＞Ｒ１＞０である、項目１９に記載のゴルフクラブ。
【００８５】
項目２１：ゴルフクラブシャフトは、第１の領域と第５の領域との間にテーパ部分を備え、テーパ領域は、第５の領域に最も近接するテーパ領域の６０％内に少なくとも部分的に位置する基準部分を含み、基準部分の外側表面は、ほぼ一定のテーパ率を有する円錐台形状を有しており、狭くなっている部分が、第１の領域に最も近接するテーパ領域の６０％内に少なくとも部分的にあり、狭くなっている部分の外側表面は、チップ端に向かう方向に円錐台形状から外挿された基準表面に対して凹んでいる、項目１９に記載のゴルフクラブ。
【００８６】
項目２２：第２の領域及び第３の領域は、狭くなっている部分内にあり、ほぼ一定のテーパ率が第３のテーパ率である、項目２１に記載のゴルフクラブ。
【００８７】
項目２３：長手方向軸に沿った長さに従った、狭くなっている部分の少なくとも４０％は、基準表面よりも約６％超小さい外径を有する、項目２１に記載のゴルフクラブ。
【００８８】
項目２４：繊維強化ポリマーから形成され、チップ端と反対側のグリップ端との間に延在する細長い本体を備え、細長い本体は、約０．３００インチから約０．３１５インチの外径を有する円筒形状のチップ端部分であって、チップ端に当接しており、ゴルフクラブヘッドの一部分内に延在してゴルフクラブシャフトとゴルフクラブヘッドとの接合を促進させる働きをする、円筒形状のチップ端部分と、円筒形状のチップに隣接し、第１のレート（Ｒ１）で増加する直径を有する第１のシャフト領域と、円筒形状のチップとは反対側で第１のシャフト領域と隣接し、第２のレート（Ｒ２）で増加する直径を有する第２のシャフト領域と、第１のシャフト領域とは反対側で第２のシャフト領域と隣接し、第３のレート（Ｒ３）で増加する直径を有する第３のシャフト領域と、第３のシャフト領域と隣接したグリップ端部分と、を含み、Ｒ２＞（Ｒ３及びＲ１）である、ゴルフクラブシャフト。
【００８９】
項目２５：第１のシャフト領域は、長手方向軸に対して平行に配向された複数の繊維（０度繊維）を含み、細長い本体は、約１９２ＣＰＭから約２２２ＣＰＭの曲げ剛性、約４０Ｍｓｉから約４６Ｍｓｉの０度繊維の弾性率、及び、約５００ｇ／ｍ２から約５７５ｇ／ｍ２の０度繊維の繊維面積重量；約２０２ＣＰＭから約２４４ＣＰＭの曲げ剛性、約４０Ｍｓｉから約４６Ｍｓｉの０度繊維の弾性率、及び、約６３５ｇ／ｍ２から約６８５ｇ／ｍ２の０度繊維の繊維面積重量；約２３４ＣＰＭから約２６０ＣＰＭの曲げ剛性、約４０Ｍｓｉから約４６Ｍｓｉの０度繊維の弾性率、及び、約７２０ｇ／ｍ２から約７７０ｇ／ｍ２の０度繊維の繊維面積重量；約２６１ＣＰＭから約２８５ＣＰＭの曲げ剛性、約４０Ｍｓｉから約４６Ｍｓｉの０度繊維の弾性率、及び、約８０５ｇ／ｍ２から約８５５ｇ／ｍ２の０度繊維の繊維面積重量；又は、約２８０ＣＰＭから約３０４ＣＰＭの曲げ剛性、約４３Ｍｓｉから約４９Ｍｓｉの０度繊維の弾性率、及び、約９２５ｇ／ｍ２から約９７５ｇ／ｍ２の０度繊維の繊維面積重量、のうちの１つを有する、項目２４に記載のゴルフクラブシャフト。
【図１】
2019531833.tif 000006
【図２】
2019531833.tif 000007
【図３】
2019531833.tif 000008
【図４】
2019531833.tif 000009
【図５】
2019531833.tif 000010
【図６】
2019531833.tif 000011
【図７】
2019531833.tif 000012
【手続補正書】
【提出日】令和1年8月20日(2019.8.20)
【手続補正１】
【補正対象書類名】特許請求の範囲
【補正対象項目名】全文
【補正方法】変更
【補正の内容】
【特許請求の範囲】
【請求項１】
打撃面とホーゼルとを含むゴルフクラブヘッドと、
前記ホーゼル内に固定され、内部ボアを画定するシャフトアダプタと、
繊維強化ポリマーから形成され、チップ端とグリップ端との間で長手方向軸に沿って延在するゴルフクラブシャフトと、
を備え、
前記ゴルフクラブシャフトは、
前記チップ端に当接し、前記シャフトアダプタの前記内部ボア内に少なくとも部分的に固定されるチップ端部分と、
前記グリップ端に当接するグリップ端部分と、
前記チップ端部分と前記グリップ端部分とを相互接続するテーパ部分であって、前記テーパ部分は、前記長手方向軸に沿って、上側６０％及び下側６０％を含み、前記上側６０％が前記グリップ端部分に当接しており、前記下側６０％が前記チップ端部分に当接している、前記テーパ部分と、を含み、
前記テーパ部分はさらに、
前記上側６０％内に少なくとも部分的に位置する基準部分であって、前記基準部分の外側表面は、ほぼ一定のテーパ率を有する円錐台形状を有する、前記基準部分と、
前記下側６０％内に、及び、前記チップ端と前記基準部分との間に、少なくとも部分的に位置する狭くなっている部分であって、前記狭くなっている部分の外側表面は、前記円錐台形状から前記チップ端に向かって外挿された基準表面に対して凹んでいる、前記狭くなっている部分と、を含む、
ゴルフクラブ。
【請求項２】
前記狭くなっている部分は、第１のテーパ率（Ｒ１）を有する第１の領域と、第２のテーパ率（Ｒ２）を有する第２の領域と、を含み、
前記第２の領域は、前記第１の領域と前記基準部分との間にあり、
Ｒ２＞Ｒ１である、請求項１に記載のゴルフクラブ。
【請求項３】
前記基準部分の前記ほぼ一定のテーパ率（Ｒ３）は、Ｒ２よりも小さい、請求項２に記載のゴルフクラブ。
【請求項４】
Ｒ１＜Ｒ３である、請求項３に記載のゴルフクラブ。
【請求項５】
前記テーパ部分は、約３０インチよりも大きい長さを有しており、
前記第１の領域は、前記チップ端部分に最も近接する前記テーパ部分の最初の約１５インチ内に完全に位置する、請求項２〜４のいずれか一項に記載のゴルフクラブ。
【請求項６】
前記狭くなっている部分の前記繊維強化ポリマーは、前記長手方向軸に対して平行に配向された複数の繊維（０度繊維）を含み、
前記ゴルフクラブシャフトは、
約１９２ＣＰＭから約２２２ＣＰＭの曲げ剛性、約４０Ｍｓｉから約４６Ｍｓｉの前記０度繊維の弾性率、及び、約５００ｇ／ｍ２から約５７５ｇ／ｍ２の前記０度繊維の繊維面積重量；
約２０２ＣＰＭから約２４４ＣＰＭの曲げ剛性、約４０Ｍｓｉから約４６Ｍｓｉの前記０度繊維の弾性率、及び、約６３５ｇ／ｍ２から約６８５ｇ／ｍ２の前記０度繊維の繊維面積重量；
約２３４ＣＰＭから約２６０ＣＰＭの曲げ剛性、約４０Ｍｓｉから約４６Ｍｓｉの前記０度繊維の弾性率、及び、約７２０ｇ／ｍ２から約７７０ｇ／ｍ２の前記０度繊維の繊維面積重量；
約２６１ＣＰＭから約２８５ＣＰＭの曲げ剛性、約４０Ｍｓｉから約４６Ｍｓｉの前記０度繊維の弾性率、及び、約８０５ｇ／ｍ２から約８５５ｇ／ｍ２の前記０度繊維の繊維面積重量；又は、
約２８０ＣＰＭから約３０４ＣＰＭの曲げ剛性、約４３Ｍｓｉから約４９Ｍｓｉの前記０度繊維の弾性率、及び、約９２５ｇ／ｍ２から約９７５ｇ／ｍ２の前記０度繊維の繊維面積重量、
のうちの１つを有する、請求項１〜５のいずれか一項に記載のゴルフクラブ。
【請求項７】
前記チップ端部分は、おおよそ円筒形状であり、約０．３００インチから約０．３１５インチの外径を有する、請求項１〜６のいずれか一項に記載のゴルフクラブ。
【請求項８】
前記グリップ端部分は、約０．５５０インチから０．６５０インチの外径を有しており、
前記テーパ部分の外径は、前記チップ端部分の前記外径から前記グリップ端部分の前記外径へ移行している、請求項７に記載のゴルフクラブ。
【請求項９】
前記ゴルフクラブヘッドは、重心（ＣＧ）と、幾何学中心（ＧＣ）と、トウと、ヒールと、を有しており、
前記ＣＧは、前記ＧＣと前記ヒールとの間に位置する、請求項１〜８のいずれか一項に記載のゴルフクラブ。
【請求項１０】
前記長手方向軸に沿った長さに従った、前記狭くなっている部分の少なくとも４０％は、前記基準表面よりも約６％超小さい外径を有する、請求項１〜９のいずれか一項に記載のゴルフクラブ。
【請求項１１】
前記長手方向軸に沿った長さに従った、前記狭くなっている部分の少なくとも５０％は、前記基準表面よりも約７％超小さい外径を有する、請求項１〜１０のいずれか一項に記載のゴルフクラブ。
【請求項１２】
繊維強化ポリマーによって形成され、チップ端と反対側のグリップ端との間に延在する細長い本体を備え、
前記細長い本体は、
前記チップ端に当接し、ゴルフクラブヘッド内に固定されるように適合されているチップ端部分と、
前記グリップ端に当接するグリップ端部分と、
前記チップ端部分と前記グリップ端部分とを相互接続するテーパ部分であって、前記テーパ部分は、長手方向軸に沿って、上側６０％及び下側６０％を含み、前記上側６０％が、前記グリップ端部分に当接しており、前記下側６０％が、前記チップ端部分に当接している、前記テーパ部分と、
を含み、
前記テーパ部分はさらに、
前記上側６０％内に少なくとも部分的に位置する基準部分であって、前記基準部分の外側表面は、ほぼ一定のテーパ率を有する円錐台形状を有する、前記基準部分と、
前記下側６０％内に、及び、前記チップ端と前記基準部分との間に、少なくとも部分的に位置する狭くなっている部分であって、前記狭くなっている部分の外側表面は、前記円錐台形状から前記チップ端に向かって外挿された基準表面に対して凹んでいる、前記狭くなっている部分と、
を含み、
前記狭くなっている部分は、前記長手方向軸に対して平行に配向された複数の繊維（０度繊維）を含み、
前記細長い本体は、
約１９２ＣＰＭから約２２２ＣＰＭの曲げ剛性、約４０Ｍｓｉから約４６Ｍｓｉの前記０度繊維の弾性率、及び、約５００ｇ／ｍ２から約５７５ｇ／ｍ２の前記０度繊維の繊維面積重量；
約２０２ＣＰＭから約２４４ＣＰＭの曲げ剛性、約４０Ｍｓｉから約４６Ｍｓｉの前記０度繊維の弾性率、及び、約６３５ｇ／ｍ２から約６８５ｇ／ｍ２の前記０度繊維の繊維面積重量；
約２３４ＣＰＭから約２６０ＣＰＭの曲げ剛性、約４０Ｍｓｉから約４６Ｍｓｉの前記０度繊維の弾性率、及び、約７２０ｇ／ｍ２から約７７０ｇ／ｍ２の前記０度繊維の繊維面積重量；
約２６１ＣＰＭから約２８５ＣＰＭの曲げ剛性、約４０Ｍｓｉから約４６Ｍｓｉの前記０度繊維の弾性率、及び、約８０５ｇ／ｍ２から約８５５ｇ／ｍ２の前記０度繊維の繊維面積重量；又は、
約２８０ＣＰＭから約３０４ＣＰＭの曲げ剛性、約４３Ｍｓｉから約４９Ｍｓｉの前記０度繊維の弾性率、及び、約９２５ｇ／ｍ２から約９７５ｇ／ｍ２の前記０度繊維の繊維面積重量、
のうちの１つを有する、ゴルフクラブシャフト。
【請求項１３】
前記長手方向軸に沿った長さに従った、前記狭くなっている部分の少なくとも４０％は、前記基準表面よりも約６％超小さい外径を有する、請求項１２に記載のゴルフクラブシャフト。
【請求項１４】
前記長手方向軸に沿った長さに従った、前記狭くなっている部分の少なくとも５０％は、前記基準表面よりも約７％超小さい外径を有する、請求項１２又は１３に記載のゴルフクラブシャフト。
【請求項１５】
前記チップ端部分は、おおよそ円筒形状であり、約０．３００インチから約０．３１５インチの外径を有する、請求項１２〜１４のいずれか一項に記載のゴルフクラブシャフト。
【請求項１６】
前記グリップ端部分は、約０．５５０インチから０．６５０インチの外径を有しており、
前記テーパ部分の外径は、前記チップ端部分の前記外径から前記グリップ端部分の前記外径へ移行している、請求項１５に記載のゴルフクラブシャフト。
【請求項１７】
前記狭くなっている部分は、第１のテーパ率（Ｒ１）を有する第１の領域と、第２のテーパ率（Ｒ２）を有する第２の領域と、を含み、
前記第２の領域は、前記第１の領域と前記基準部分との間にあり、
Ｒ２＞Ｒ１である、請求項１２〜１６のいずれか一項に記載のゴルフクラブシャフト。
【請求項１８】
前記テーパ部分は、約３０インチよりも大きい長さを有しており、
前記第１の領域は、前記チップ端部分に最も近接する前記テーパ部分の最初の約１５インチ内に完全に位置する、請求項１７に記載のゴルフクラブシャフト。
【請求項１９】
打撃面とホーゼルとを含むゴルフクラブヘッドと、
前記ホーゼル内に固定され、内部ボアを画定するシャフトアダプタと、
チップ端とグリップ端との間で長手方向軸に沿って延在し、繊維強化ポリマーから形成されているゴルフクラブシャフトであって、前記ゴルフクラブシャフトは、前記チップ端から前記グリップ端へ順序付けられた、第１の領域と、第２の領域と、第３の領域と、第４の領域と、第５の領域とを含み、
前記第１の領域は、円筒形状部分を含み、前記円筒形状部分は、約０．３００インチから約０．３１５インチの外径を有しており、前記シャフトアダプタの前記内部ボア内に固定されており、
前記第２の領域は、前記チップからの距離の関数として第１のレート（Ｒ１）で線形に増加する直径を有しており、
前記第３の領域は、前記チップからの距離の関数として第２のレート（Ｒ２）で線形に増加する直径を有しており、
前記第４の領域は、前記チップからの距離の関数として第３のレート（Ｒ３）で線形に増加する直径を有しており、
Ｒ２＞Ｒ１及びＲ２＞Ｒ３である、前記ゴルフクラブシャフトと、
前記シャフトの前記グリップ端に当接するグリップであって、前記第５の領域は、前記グリップ内に配置されている、グリップと、
を備える、ゴルフクラブ。
【請求項２０】
Ｒ２＞Ｒ３＞Ｒ１＞０である、請求項１９に記載のゴルフクラブ。
【国際調査報告】
2019531833.tif 000013